(57)【要約】【課題】  簡単な構成でハイライト再生から通常再生に切り替えることが可能な装置を提供する。【解決手段】  記録媒体から動画信号を再生する再生手段と、前記再生手段が前記動画信号を再生する通常再生モードと、前記再生手段が前記通常再生モードにおいて再生する動画信号の一部の期間を選択して再生するハイライト再生モードとの切り替えを指示する切り替え指示手段と、前記ハイライト再生モードにおける動画信号の再生中に前記切り替え指示手段により前記通常再生モードへの切り替え指示があると、前記ハイライト再生モードから前記通常再生モードに切り替えると共に、前記通常再生モードへの切り替えが指示されたときの前記動画信号の再生位置より前の所定の再生位置から前記動画信号を再生するように前記再生手段を制御する制御手段とを備える。【選択図】  図１
2011250103.tif 000002
【特許請求の範囲】
【請求項１】
記録媒体から動画信号を再生する再生手段と、
前記再生手段が前記動画信号を再生する通常再生モードと、前記再生手段が前記通常再生モードにおいて再生する動画信号の一部の期間を選択して再生するハイライト再生モードとの切り替えを指示する切り替え指示手段と、
前記ハイライト再生モードにおける動画信号の再生中に前記切り替え指示手段により前記通常再生モードへの切り替え指示があると、前記ハイライト再生モードから前記通常再生モードに切り替えると共に、前記通常再生モードへの切り替えが指示されたときの前記動画信号の再生位置より前の所定の再生位置から前記動画信号を再生するように前記再生手段を制御する制御手段とを備える再生装置。
【請求項２】
前記所定の再生位置は、前記ハイライト再生モードにおいて再生する複数の前記一部の期間それぞれの先頭フレームを含むことを特徴とする請求項１記載の再生装置。
【請求項３】
前記動画信号はファイルに格納されて記録されており、前記所定の再生位置は、複数の前記ファイルに格納されている動画信号それぞれの先頭フレームを含むことを特徴とする請求項１または２記載の再生装置。
【請求項４】
前記所定の再生位置は、記録された日が同じ複数の前記動画信号のうち、最初の動画信号の先頭フレームを含むことを特徴とする請求項１から３の何れか１項記載の再生装置。
【請求項５】
前記通常再生モードへの切り替え指示があると、前記制御手段は、前記通常再生モードへの切り替えが指示されたときの前記動画信号の再生位置を含む前記一部の期間の先頭フレームから前記通常再生モードで前記動画信号の再生を開始するよう、前記再生手段を制御することを特徴とする請求項１または２記載の再生装置。
【請求項６】
前記ハイライト再生モードにおいて再生の対象となる動画信号を指定する手段を備え、
前記制御手段は、前記指定された再生の対象の動画信号と、前記通常再生モードへの切り替えが指示されたときの前記動画信号の再生位置とに基づき、前記通常再生モードに切り替えた後の再生開始位置を決定することを特徴とする請求項１記載の再生装置。
【請求項７】
前記制御手段は、前記ハイライト再生における再生の対象として１シーンが選択された場合、前記通常再生モードへの切り替えが指示されたときの前記動画信号の再生位置を含む前記一部の期間の先頭フレームを前記通常再生モードに切り替えた後の再生開始位置とし、前記ハイライト再生における再生の対象として記録された日が同じ複数の前記動画信号が選択された場合、前記通常再生モードへの切り替えが指示されたときに再生していた動画信号の先頭フレームを前記通常再生モードに切り替えた後の再生開始位置とし、前記ハイライト再生における再生の対象として記録された日が異なる複数の前記動画信号が選択された場合、前記通常再生モードへの切り替えが指示されたときに再生していた動画信号と同じ日に記録された動画信号のうち最初の動画信号の先頭フレームを前記通常再生モードに切り替えた後の再生開始位置とすることを特徴とする請求項６記載の再生装置。
【請求項８】
記録媒体から動画信号を再生する再生手段と、
前記再生手段が前記動画信号を再生する通常再生モードと、前記再生手段が前記通常再生モードにおいて再生する動画信号の一部の期間を選択して再生するハイライト再生モードとの切り替えを指示する切り替え指示手段と、
前記ハイライト再生モードにおける動画信号の再生中に前記切り替え指示手段により前記通常再生モードへの切り替え指示があると、前記ハイライト再生モードから前記通常再生モードに切り替えると共に、前記通常再生モードへの切り替えが指示されたときの前記動画信号の再生位置に基づき、複数の所定の再生位置のうちの何れかの再生位置から前記動画信号を再生するように前記再生手段を制御する制御手段とを備える再生装置。
【請求項９】
記録媒体から動画信号を再生する再生手段と、
前記再生手段が前記動画信号を再生する通常再生モードと、前記再生手段が前記通常再生モードにおいて再生する動画信号の一部の期間を選択して再生するハイライト再生モードとの切り替えを指示する切り替え指示手段と、
前記ハイライト再生モードにおける動画信号の再生中に前記切り替え指示手段により前記通常再生モードへの切り替え指示があると、前記記録媒体に記録された動画信号における複数の所定の再生位置の何れかを選択するための選択用画面を表示装置に表示する表示制御手段と、
前記ハイライト再生モードにおける動画信号の再生中に前記切り替え指示手段により前記通常再生モードへの切り替え指示があると、前記ハイライト再生モードから前記通常再生モードに切り替えると共に、前記選択用画面に表示された複数の所定の再生位置のうち選択された再生位置から前記動画信号を再生するように前記再生手段を制御する制御手段とを備える再生装置。
【請求項１０】
撮像手段と、
前記撮像手段により得られた動画信号を前記記録媒体に記録する記録手段とを備えたことを特徴とする請求項１から９の何れか１項記載の再生装置。
【発明の詳細な説明】
【技術分野】
【０００１】
本発明は再生装置に関し、特に、動画のハイライト再生に関する。
【背景技術】
【０００２】
従来、テレビジョン放送を録画するＨＤＤレコーダ等の記録装置が知られている。これらのレコーダのうち、記録した放送番組の動画や音声のうちの一部をダイジェスト（ハイライト）として再生する機能を持つものがある（例えば、特許文献１参照）。
【０００３】
また、従来、被写体を撮影し、被写体の動画や音声を記録するビデオカメラが知られている。近年では、メモリカードやＨＤＤなどのランダムアクセス、且つ、大容量の記録媒体に対して動画や音声を記録する家庭用のビデオカメラが登場しており、一般家庭に広く普及している。
【先行技術文献】
【特許文献】
【０００４】
【特許文献１】特開２００８−３０６３１１号
【発明の概要】
【発明が解決しようとする課題】
【０００５】
従来、ハイライト再生では、記録された動画や音声の一部を選択して再生している。そのため、ハイライト再生中にユーザが全ての動画を見たいと思った場合、一旦ハイライト再生を停止して、通常再生を指示する必要がある。
【０００６】
また、ユーザがハイライト再生から通常再生に切り替えた後、所望の再生位置をユーザが自分で探す必要があり、大変煩わしいものであった。
【０００７】
本発明はこの様な問題を解決し、簡単な構成でハイライト再生から通常再生に切り替えることが可能な装置を提供することを目的とする。また、本発明は、ハイライト再生から通常再生に切り替えた際に、自動的に、適切な位置から通常再生を開始することが可能な装置を提供することを目的とする。
【課題を解決するための手段】
【０００８】
本発明においては、記録媒体から動画信号を再生する再生手段と、前記再生手段が前記動画信号を再生する通常再生モードと、前記再生手段が前記通常再生モードにおいて再生する動画信号の一部の期間を選択して再生するハイライト再生モードとの切り替えを指示する切り替え指示手段と、前記ハイライト再生モードにおける動画信号の再生中に前記切り替え指示手段により前記通常再生モードへの切り替え指示があると、前記ハイライト再生モードから前記通常再生モードに切り替えると共に、前記通常再生モードへの切り替えが指示されたときの前記動画信号の再生位置より前の所定の再生位置から前記動画信号を再生するように前記再生手段を制御する制御手段とを備える。
【発明の効果】
【０００９】
本発明によれば、簡単な構成でハイライト再生から通常再生に切り替えることが可能となる。
【図面の簡単な説明】
【００１０】
【図１】本発明の実施形態におけるビデオカメラの構成を示す図である。
【図２】ハイライト再生モードで再生される再生期間を示す図である。
【図３】各評価項目についての評価値を算出する際の条件を示す図である。
【図４】動画像における評価値の様子を示す図である。
【図５】ハイライト情報を示す図である。
【図６】通常再生モードの処理を示す図である。
【図７】ハイライト再生モードの処理を示す図である。
【図８】ハイライト再生モードの処理を示す図である。
【図９】選択用画面を示す図である。
【図１０】ハイライト再生モードの処理を示す図である。
【発明を実施するための形態】
【００１１】
（第１の実施形態）
図１は、本発明の実施形態としてのビデオカメラ１００の構成を示すブロック図である。
【００１２】
図１において、撮像部１０１は被写体を撮影し、被写体を示す動画信号を生成して出力する。撮像部１０１は、ズームレンズやフォーカスレンズ等の光学系、ＣＣＤ等のイメージセンサ、アイリス、撮影した動画信号をデジタル信号に変換するＡＤ変換器、撮影された動画に必要な処理を施す処理回路等を含む。そして、撮像部１０１は、制御部１０８からの制御信号に従い、撮影時のフォーカス、ズーム動作、シャッタ速度やアイリス等を変更する。音声入力部１０２は、外部から被写体に関連した音声を取得して、音声信号を出力する。音声入力部１０２は、ママイクロフォンやアンプ、ＡＤ変換器等を含み、取得した音声信号をデジタル信号として出力する。
【００１３】
信号処理部１１３は、記録時においては、動画信号や音声信号に対して、ＭＰＥＧ等の公知の符号化方式に従う符号化処理を施し、その情報量を圧縮する。また、信号処理部１１３は、再生時においては、再生された動画信号や音声信号を復号し、情報量を伸張する。表示制御部１０４は、制御部１０８からの指示に従い、動画や各種の情報を表示部１０５に表示する。表示部１０５は液晶パネル等、公知の表示デバイスを含む。
【００１４】
メモリ１０６は、動画信号や音声信号、或いは、後述の様に各種の情報を記憶する。顔検出部１０７は、撮影時において、撮像部１０１から出力された動画信号中の各フレームに含まれる顔の画像を検出し、顔の数、位置、大きさなどの特徴量である顔検出情報を出力する。制御部１０８は、操作部１０９からの指示に応じてビデオカメラ１００の各部の動作を制御する。制御部１０８はマイクロコンピュータを有し、不図示のフラッシュメモリ等に記憶されたプログラムを実行することにより各部を制御する。操作部１０９は、電源スイッチ、動画の撮影開始、停止を指示するトリガスイッチ、ズームスイッチ、再生スイッチ、メニュースイッチ、撮影モードの切り替えスイッチ等の各種のスイッチを備える。
【００１５】
記録再生部１１０は、制御部１０８からの指示に従い、動画信号や音声信号、或いは、各種の情報を記録媒体１１１に記録し、また、記録媒体１１１から再生する。記録媒体１１１はメモリカードやハードディスク（ＨＤＤ）等のランダムアクセス可能な記録媒体である。本実施形態では、記録媒体１１１は、不図示の装着、排出機構により、ビデオカメラ１００に対してユーザが容易に装着、排出可能な構成である。出力部１１２は、撮影時に取得された動画信号や音声信号、或いは、再生された動画信号や音声信号を外部の表示装置等に出力する。内部バス１１３は、ビデオカメラ１００の各部の間で、各種のデータやコマンドを転送するために用いられる。
【００１６】
次に、ビデオカメラ１００による基本的な撮影処理、及び再生処理について説明する。まず、ビデオカメラ１００における撮影モードについて説明する。操作部１０９によりビデオカメラ１００の電源が投入されると、制御部１０８は各部を制御して、撮像部１０１により得られた動画信号に応じた被写体の動画像を表示部１０５に表示し、記録ポーズ状態となる。この状態で、操作部１０９により撮影開始の指示があると、制御部１０８は各部を制御し、動画信号と音声信号の記録を開始する。制御部１０８からの指示があると、撮像部１０１と音声入力部１０２は動画信号と音声信号を出力し、バス１１３を介して一旦メモリ１０６に記憶する。信号処理部１０３は、メモリ１０６に記憶された動画信号と音声信号を符号化して、再度メモリ１０６に記憶する。記録再生部１１０は制御部１０８からの指示に従い、メモリ１０６から動画信号と音声信号を読み出し、記録媒体１１１に記録する。
【００１７】
また、顔検出部１０７は、制御部１０８からの指示に従い、撮影開始後、メモリ１０６に記憶された動画信号を読み出し、公知の方法で動画信号の各フレームに含まれる顔の画像を検出する。顔検出部１０７は、パターンマッチングによって目及び鼻、口、耳の候補群を抽出する。そして、顔検出部１０７は、抽出された目の候補群の中から、予め設定された条件（例えば２つの目の距離、傾き等）を満たすものを、目の対と判断し、目の対があるもののみ目の候補群として絞り込む。そして、顔検出部１０７は、絞り込まれた目の候補群とそれに対応する顔を形成する他のパーツ（鼻、口、耳）を対応付け、また、予め設定した非顔条件フィルタを通すことで、顔を検出する。そして、顔の数、位置、大きさなどの特徴量を示す顔検出情報を制御部１０８に出力する。制御部１０８は、顔検出部１０７により顔検出情報が出力されると、撮影開始からの経過時間（フレーム数）を検出する。そして、制御部１０８は、顔を検出したフレームの撮影開始からの経過時間、及び、当該フレームに関する顔検出情報を対応づけてメモリ１０６に記憶する。
【００１８】
制御部１０８は、動画撮影中に操作部１０９によりズーム操作があると、撮像部１０１を制御してズーム動作を行わせる。また、制御部１０８は、ズーム操作があると、撮影開始からの経過時間（フレーム数）を検出する。そして、ズーム操作があった時間及び、ズームの方向を示すズーム情報を対応づけてメモリ１０６に記憶する。
【００１９】
また、制御部１０８は、撮影開始の指示があると、撮像部１０１から出力された動画信号におけるフレーム間の画像の動きを順次検出する。そして、各フレームについて、フレーム間の画像の動き量を示す動き情報を生成し、メモリ１０６に記憶する。
【００２０】
更に、制御部１０８は、撮影開始の指示があると、撮像部１０１から出力された動画信号の明るさ（画面輝度）を検出し、各フレームについて、明るさを示す明るさ情報を生成してメモリ１０６に記憶する。また、制御部１０８は、撮像部１０１から出力された動画信号に基づいて、フォーカス制御のための空間周波数のピークを算出する。そして、各フレームについて、ピーク値を示すフォーカス情報を生成し、メモリ１０６に記憶する。
【００２１】
この様に、制御部１０８は、動画の撮影中に各種の情報を順次生成し、メモリ１０６に記憶する。そして、操作部１０９により撮影停止の指示があると、記録再生部１１０を制御し、記録媒体１１１に対する動画信号と音声信号の記録を停止する。なお、本実施形態では、記録再生部１１０は記録媒体１１１に記録した動画信号と音声信号とを、所定のファイルシステムに従い、動画ファイルとして管理する。また、本実施形態では、撮影開始の指示から撮影停止の指示までの間に記録された一連の動画信号と音声信号を一つのファイルとして管理する。また、制御部１０８は、動画信号における各Ｉピクチャの先頭からのデータ量を示す管理ファイルを生成する。また、制御部１０８は、不図示のタイマーに基づいて、撮影年月日の情報を取得し、各管理ファイルに格納する。記録再生部１１０は、各動画ファイルの管理ファイルを記録媒体１１１に記録する。
【００２２】
また、制御部１０８は、撮影停止の指示があると、メモリ１０６から顔検出情報、ズーム情報、動き情報、明るさ情報、及びフォーカス情報をそれぞれ読み出す。そして、制御部１０８は、これらの情報を含む付加情報ファイルを生成し、記録再生部１１０により記録媒体１１１に記録する。このとき、記録再生部１１０は、各動画ファイルに対応した付加情報が識別できるように、付加情報ファイルを記録する。
【００２３】
なお、付加情報ファイルについては、動画ファイル毎に一つの付加情報ファイルを作成することも可能であり、或いは、記録媒体１１１に記録された全ての動画ファイルに対して一つの付加情報ファイルを作成するようにしてもよい。また、付加情報ファイルを記録せずに、各動画ファイルの管理ファイルに付加情報を格納するようにしてもよい。
【００２４】
次に、通常再生の処理について説明する。
【００２５】
操作部１０９により再生モードの指示があると、制御部１０８は、記録再生部１１０を制御して、記録媒体１１１に記録された動画ファイルに含まれる動画信号の先頭部分を再生する。そして、再生された動画信号の先頭部分を信号処理部１０３により復号し、表示制御部１０４に送る。表示制御部１０４は、復号された先頭画面のサイズを縮小し、代表画像を示すインデックス画面を生成して表示部１０５に表示する。ユーザは操作部１０９を操作し、表示部１０５に表示された各動画ファイルの代表画像のうち、所望の代表画像を選択し、再生を指示する。
【００２６】
制御部１０８は再生が指示されると、選択された代表画像に対応した動画ファイルを再生するように、記録再生部１１０を制御する。記録再生部１１０は、指定された動画ファイルを記録媒体１１１から再生し、メモリ１０６に記憶する。信号処理部１０３はメモリ１０６から動画信号と音声信号を読み出して復号し、再度メモリ１０６に記憶する。表示制御部１０４はメモリ１０６から復号された動画信号を読み出し、再生された動画信号を表示部１０５に表示する。また、音声信号については、不図示のスピーカから出力する。そして、再生停止の指示があると、制御部１０８は記録再生部１１０による動画ファイルの再生を停止し、再び、代表画像を表示部１０５に表示させる。
【００２７】
次に、ビデオカメラ１００におけるハイライト再生について説明する。ユーザが操作部１０９を操作して、ビデオカメラ１００の電源を投入すると、制御部１０８は記録再生部１１０に対し、記録媒体１１１に記録された全ての動画ファイルの付加情報ファイルを順次再生させる。記録再生部１１０は、記録媒体１１１から付加情報ファイルを再生し、メモリ１０６に記憶する。
【００２８】
制御部１０８は、メモリ１０６に記憶された付加情報ファイルに含まれる、顔情報、ズーム情報、動き情報、明るさ情報、及びフォーカス情報に基づいて、動画信号の各フレームについて評価値を算出する。図３の図３０１〜３０５はそれぞれ、明るさ情報、ズーム情報、動き情報、フォーカス情報、顔情報を用いて評価値を算出する際の条件を示す図である。例えば、明るさについては、画面全体の輝度に対して、輝度７０％周辺を最大として評価値が緩やかに低下していく。ズームは、ズーム移動が無ければ評価値が最大、動きが大きくなることに応じて評価値が下がる。動きに関しては、検出された動き量が大木ければ評価値が低くなる。また、フォーカスに関しては、ピーク検出値が高ければ評価値が高い。顔については、主顔の画面占有率が大きければ基本的には評価値が高いが、大きすぎる場合には評価値が低い。
【００２９】
そして、この様に算出した評価値に対し、所定の条件に従って重み付けすることにより、各フレームについての最終的な評価値を算出する。具体的には、各評価値に対して所定の重みの値を乗算したものを加算する。そして、この加算結果を、重みの値の合計値で割ることで最終的な評価値を算出する。
【００３０】
制御部１０８は、同様に全てのフレームについて評価値を算出すると、算出した評価値をメモリ１０６に記憶する。図４は記録媒体１１１に記録された一つの動画ファイル５０１の各フレームについて算出した評価値の様子を示す図である。
【００３１】
制御部１０８は、この様に算出した各フレームの評価値を閾値と比較して、評価値が閾値以上であるフレームを検出する。そして、検出したフレームを、ハイライトとして再生すべきフレームとして選択し、動画信号における選択したフレームの位置を示す情報をハイライト再生情報としてメモリ１０６に記憶する。図４において、評価値が閾値４０２以上のフレームは黒く塗った部分である。制御部１０８は、この閾値以上の評価値を持つフレームの位置をハイライト再生情報としてメモリ１０６に記憶する。
【００３２】
図２は、記録媒体１１１に記録された動画ファイルと、ハイライト再生期間の様子を示す図である。図２では、シーン番号１から６までの６個の動画ファイル２０１−２０６が記録媒体１１１に記録されている。シーン番号は、各動画ファイルに対して独立に付加される番号であり、本実施形態では、一つの動画ファイルが記録される度に、シーン番号を１づつ増加させて、動画ファイルに格納して記録する。また、ハイライト再生期間２０７−２１３はそれぞれ、各動画ファイル２０１−２０６におけるハイライト再生期間である。シーン番号５の動画ファイル２０５には、ハイライト再生期間が含まれていない。本実施形態では、各動画ファイルにおけるハイライト再生期間の長さ、或いは、数については制限を設けていない。そのため、ハイライト期間を含まない動画ファイルも存在する。２１４は各ハイライト再生期間２０７−２１３を連続して再生したときの動画を示している。また、２１５は各動画ファイルを撮影した年月日を示している。
【００３３】
図５は、図２に示す各動画ファイルのハイライト再生情報５０１の様子を示す図である。５０１は、シーン番号１から６までの６個の動画ファイルが記録媒体１１１に記録されている場合のハイライト情報を示している。ハイライト部分ＩＤは、全てのハイライト部分に対して共通に付加される識別情報である。また、カット番号は、一つの動画ファイル内におけるハイライト部分の順序を示す情報である。そして、各ハイライト部分の再生開始時間（開始位置）とその長さの情報が記録される。
【００３４】
本実施形態では、ビデオカメラ１００の電源が投入される度に、ハイライト情報２０１を生成してメモリ１０６に記憶する。これ以外にも、例えば、生成したハイライト情報２０１をファイルとして記録媒体１１１に記録しておくことも可能である。また、制御部１０８は、一つの動画ファイルを記録する度に、この動画ファイルのハイライト再生期間を決定し、ハイライト情報５０１を更新する。
【００３５】
次に、この様なハイライト情報５０１を利用した、ハイライト再生モードの処理について説明する。本実施形態では、前述の様に、記録媒体１１１に記録された動画ファイルを先頭から順次再生する通常再生モードを持つ。また、記録媒体１１１に記録された動画信号のうち、ハイライト情報に記述された一部の再生期間を選択して再生するハイライト再生モードを持つ。
【００３６】
そして、ユーザが操作部１０９を操作することにより、ハイライト再生モードを設定してハイライト再生を指示することができる。また、通常再生モードでの動画再生中にユーザが操作部１０９を操作することにより、ハイライト再生モードに切り替えて動画を再生することができる。また、ハイライト再生モードでの動画再生中にユーザが操作部１０９を操作することにより、ハイライト再生モードに切り替えて動画を再生することができる。
【００３７】
通常再生モードとハイライト再生モードの切り替え処理について、図６と図７のフローチャートを用いて説明する。図６は通常再生モードの処理を示し、図７はハイライト再生モードの処理を示している。また、図６、図７の処理は、制御部１０８が各部を制御することにより実行される。
【００３８】
前述の様に、ユーザが操作部１０９を操作して再生モードを設定し、所望の代表画像を選択して再生を指示すると、処理が開始する。まず、記録再生部１１０により選択された選択された代表画像に対応した動画ファイルをその先頭から再生し、再生された動画ファイルの動画と音声を出力する（Ｓ６０１）。次に、ハイライト再生モードへの切り替えの指示を受けたか否かを判別する（Ｓ６０２）。ハイライト再生モードへの切り替え指示が無い場合、再生停止の指示を受けたか否かを判別する（Ｓ６０３）。再生停止の指示を受けると、記録再生部１１０による動画ファイルの再生を停止し、再びインデックス画面を表示部１０５に表示する（Ｓ６０４）。
【００３９】
また、Ｓ６０３で再生停止の指示が無い場合、再生中のシーン（動画ファイル）の終端に達したか否かを判別する（Ｓ６０５）。シーンの終端に達していない場合には、Ｓ６０１に戻り、そのまま再生を続ける。また、シーンの終端であった場合、次のシーンが記録されているか否かを判別する（Ｓ６０６）。本実施形態では、各動画ファイルの管理ファイルに基づいて、撮影された順に動画ファイルを順次再生する。現在再生中のシーンが最後に撮影されたシーンであり、次のシーンが無い場合には、Ｓ６０４に移行して、動画の再生を停止する。また、次のシーンがある場合には、次のシーンを選択して、Ｓ６０１に戻り動画の再生を続ける。
【００４０】
また、Ｓ６０２で、ハイライト再生モードへの切り替え指示を受けた場合、制御部１０８は、ハイライト情報５０１に基づいて、現在の再生位置がハイライト再生期間に含まれているか否かを判別する（Ｓ６０８）。ハイライト再生モードへの切り替え指示を受けたときの再生位置がハイライト再生期間に含まれていた場合、現在の再生位置を含むハイライト再生期間を選択する（Ｓ６０９）。そして、制御部１０８は、通常再生モードからハイライト再生モードへ切り替えて、ハイライト再生処理を実行する。また、ハイライト再生モードへの切り替え指示をうけたときの再生位置がハイライト再生期間に含まれていない場合、現在の再生位置の後で最も近いハイライト再生期間を選択する（Ｓ６１０）。そして、制御部１０８は、通常再生モードからハイライト再生モードへ切り替えて、ハイライト再生処理を実行する。
【００４１】
この様に、通常再生モードにおいて、ユーザからハイライト再生モードへの切り替え指示を受けると、制御部１０８は、ビデオカメラ１００をハイライト再生モードに切り替え、図７の処理を実行する。
【００４２】
即ち、Ｓ６０９、或いはＳ６１０においてハイライト再生期間を選択すると、Ｓ７０２に移行し、記録再生部１１０により、選択されたハイライト再生期間の先頭のフレームから動画ファイルの再生を開始する。次に、通常再生モードへの切り替え指示を受けたか否かを判別する（Ｓ７０３）。通常再生モードへの切り替え指示が無い場合、再生停止の指示を受けたか否かを判別する（Ｓ７０４）。再生停止の指示を受けると、記録再生部１１０による動画ファイルの再生を停止し、再びインデックス画面を表示部１０５に表示する（Ｓ７０５）。
【００４３】
また、Ｓ７０４で再生停止の指示が無い場合、再生中のハイライト再生期間の終端に達したか否かを判別する（Ｓ７０６）。ハイライト再生期間の終端に達していない場合には、Ｓ７０２に戻り、そのまま再生を続ける。また、ハイライト再生期間の終端であった場合、メモリ１０６に記憶したハイライト情報５０１に基づいて、次のハイライト期間があるか否かを判別する（Ｓ７０７）。現在再生中のハイライト再生期間が最後であり、次のハイライト再生期間が無い場合には、Ｓ７０５に移行して、動画の再生を停止する。また、次のハイライト再生期間がある場合には、次のハイライト再生期間を選択して、Ｓ７０２に戻り動画の再生を続ける（Ｓ７０８）。
【００４４】
また、Ｓ７０３で、通常再生モードへの切り替え指示を受けた場合、制御部１０８は、ハイライト情報５０１に基づいて、現在の再生位置を含むハイライト再生期間の先頭フレームを指定する（Ｓ７０９）。そして、制御部１０８は、ビデオカメラ１００を通常再生モードに切り替えて、指定したフレームから動画ファイルの通常再生を開始し（Ｓ７１０）、図６のＳ６０２に移行する。その後、再度、図６の処理を実行する。
【００４５】
例えば、ハイライト再生モードにおいて、図２のハイライト再生期間２１０を再生しているときに、通常再生モードへの切り替え指示を受けた場合、このハイライト再生期間２０１の先頭のフレームから通常再生モードでの動画の再生を開始する。
【００４６】
また、本実施形態では、インデックス画面を表示部１０５に表示している状態で、ユーザが代表画面を選択してハイライト再生を指示することにより、図７のハイライト再生処理を実行することもできる。ハイライト再生が指示されると、制御部１０８は、メモリ１０６に記憶されたハイライト情報５０１に基づいて、選択された代表画像に対応する動画ファイルにおける最初のハイライト再生期間を選択する（Ｓ７０１）。ここで、選択された代表画像に対応する動画ファイルにハイライト再生期間が含まれていない場合には、次の動画ファイル以降のハイライト期間の中から最も近い再生期間を選択する。
【００４７】
そして、選択されたハイライト再生期間の先頭から動画ファイルの再生を開始する（Ｓ７０２）。これ以降の処理は前述と同様である。
【００４８】
この様に、第１の実施形態においては、通常再生モードにおいて動画の再生中にハイライト再生モードへの切り替え指示があると、記録された動画の一部の期間を選択して再生するハイライト再生モードに切り替えて動画を再生する。また、ハイライト再生モードにおいて動画の再生中に通常再生モードへの切り替え指示があると、通常再生モードに切り替えて動画を再生する。このとき、通常再生モードへの切り替え指示を受けたときの再生位置から、引き続いて通常再生モードでの動画再生を開始するのではなく、ハイライト再生期間の先頭から通常再生モードでの動画再生を開始している。
【００４９】
そのため、ユーザは簡単にハイライト再生から通常再生に切り替えることができる。また、ハイライト再生モードに切り替えた際に、切り替え指示を受けたときの再生位置より前の適切な位置から動画の再生を開始することができる。
【００５０】
なお、第１の実施形態では、通常再生モードへの切り替え指示を受けたときのハイライト再生期間の先頭から通常再生モードでの動画再生を開始しているが、これ以外にも、シーン（動画ファイル）の先頭から通常再生モードでの動画再生を開始してもよい。
【００５１】
また、通常再生モードへの切り替え指示を受けたときの動画ファイルの日と同じ日に撮影された動画ファイルのうち、先頭の動画ファイルの先頭から通常再生モードでの動画再生を開始してもよい。
【００５２】
（第２の実施形態）
次に、第２の実施形態を説明する。本実施形態においても、ビデオカメラ１００の構成や基本的な撮影、再生処理は第１の実施形態と同様である。第１の実施形態では、ハイライト再生モードにおいて通常再生モードへの切り替え指示を受けた場合に、自動的に、現在再生中のハイライト再生期間の先頭を選択し、通常再生を開始していた。本実施形態では、ハイライト再生モードにおいて通常再生モードへの切り替え指示を受けた場合に、所定の再生位置のうちの何れかをユーザが選択し、選択した再生位置から通常再生モードでの動画再生を開始する。
【００５３】
図８は第２の実施形態におけるハイライト再生モードの処理を示すフローチャートである。図８において、図７と同様の処理については同一の番号を付加し、説明を省略する。図８の処理では、Ｓ７０３で通常再生モードへの切り替え指示を受けた後の処理が図７とは異なる。
【００５４】
即ち、Ｓ７０３で通常再生モードへの切り替え指示を受けると、制御部１０８は表示制御部１０４を制御して、再生開始位置の選択用画面を表示部１０５に表示する（Ｓ８０１）。図９（ａ）に選択用画面の例を示す。本実施形態では、現在のフレーム、現在の再生位置を含むハイライト再生期間の先頭、現在再生中のシーンの先頭、及び、現在再生中のシーンと同じ撮影日に撮影された動画ファイルの先頭の四つの所定の位置の中から再生開始位置を選択可能である。選択画面９０１が表示部１０５に表示されると、ユーザは操作部１０９を操作して選択用カーソル９０２を移動することにより、所望の再生開始位置を選択する。
【００５５】
再生開始位置が選択されると、制御部１０８は、選択結果に基づいて再生開始フレームを指定する（Ｓ８０２）。現在のフレームが選択された場合には、現在のフレームを再生開始フレームとして指定する。また、カットが選択された場合には、メモリ１０６に記憶されたハイライト情報に基づいて、現在の再生位置を含むハイライト再生期間の先頭フレームを指定する。シーンが選択された場合には、現在再生中のシーンの先頭フレームを指定する。日付が選択された場合には、現在再生中のシーンと同じ撮影日に撮影された動画ファイルのうち、先頭のファイルの先頭フレームを指定する。
【００５６】
この様に再生開始フレームを指定すると、制御部１０８は、ビデオカメラ１００を通常再生モードに切り替えて、指定したフレームから動画ファイルの通常再生を開始し（Ｓ８０３）、図６のＳ６０２に移行する。
【００５７】
この様に、本実施形態では、ユーザは簡単にハイライト再生から通常再生に切り替えることができる。また、ハイライト再生モードに切り替えた際に、所望の位置から動画の再生を開始することができる。
【００５８】
なお、本実施形態では、ハイライト再生モードにおいて通常再生モードへの切り替え指示を受けたときに、図９（ａ）に示す選択用画面９０１を表示していたが、ハイライト再生モードにおける再生中に一時停止の指示を受けたときに表示してもよい。
【００５９】
例えば、ハイライト再生モードにおける再生中に一時停止の指示を受けると、表示制御部１０４により、表示部１０５に図９（ｂ）の表示画面９０３を表示する。図９（ｂ）において、一時停止の表示画面９０３には、一時停止を示す情報９０４と、再生開始位置を選択するための項目９０５、及び選択用のカーソル９０６が表示される。ユーザは操作部１０９を操作して選択用カーソル９０６を移動することにより、所望の再生開始位置を選択する。
【００６０】
（第３の実施形態）
次に、第３の実施形態を説明する。本実施形態においても、ビデオカメラ１００の構成や基本的な撮影、再生処理は第１の実施形態と同様である。図１０は本実施形態におけるハイライト再生処理を示すフローチャートである。
【００６１】
本実施形態では、ハイライト再生を行う対象期間をユーザが指定できるようにした。例えば、ユーザが一つのシーンを選択してハイライト再生を指示できるようにした。或いは、撮影日によりハイライト再生を行う対象期間を指定できるようにした。再生モードにおいて、インデックス画面を表示部１０５に表示している状態でユーザが操作部１０９を操作して、対象期間の設定を指示すると、表示制御部１０４により、ハイライト再生の対象とする期間の設定画面を表示部１０５に表示する。ユーザは操作部１０９を操作して、ハイライト再生の対象期間の開始日と終了日を指定する。ここで、開始日と終了日に同じ日付を設定すると、指定された撮影日の一日のハイライトを再生する。
【００６２】
この様に、ハイライト再生の対象期間が指定された状態で、ハイライト再生が指示されると、図１０の処理を開始する。まず、ユーザにより指定された対象期間と、メモリ１０６に記憶されたハイライト情報とに基づいて、ハイライト再生期間を選択する（Ｓ１００１）。
【００６３】
例えば、１シーンのハイライト再生が指定されていた場合には、ハイライト情報５０１に基づいて、指定されたシーンのハイライト再生期間を選択する。また、一日のハイライト再生が指定されていた場合には、指定された撮影日の動画ファイルのうち、最初のハイライト再生期間を選択する。また、対象期間の開始日と終了日が異なる場合、指定された対象期間において最初のハイライト再生期間を選択する。
【００６４】
ハイライト再生期間を選択すると、記録再生部１１０により、選択されたハイライト再生期間の先頭から動画ファイルの再生を開始する（Ｓ１００２）。次に、通常再生モードへの切り替え指示を受けたか否かを判別する（Ｓ１００３）。通常再生モードへの切り替え指示が無い場合、再生停止の指示を受けたか否かを判別する（Ｓ１００４）。再生停止の指示を受けると、記録再生部１１０による動画ファイルの再生を停止し、再びインデックス画面を表示部１０５に表示する（Ｓ１００５）。
【００６５】
また、Ｓ１００４で再生停止の指示が無い場合、再生中のハイライト再生期間の終端に達したか否かを判別する（Ｓ１００６）。ハイライト再生期間の終端に達していない場合には、Ｓ１００２に戻り、そのまま再生を続ける。また、ハイライト再生期間の終端であった場合、メモリ１０６に記憶したハイライト情報５０１と、指定されたハイライト対象期間とに基づいて、次のハイライト期間があるか否かを判別する（Ｓ１００７）。現在再生中のハイライト再生期間が、ハイライト再生の対象期間の最後であり、次のハイライト再生期間が無い場合には、Ｓ１００５に移行して、動画の再生を停止する。また、次のハイライト再生期間がある場合には、次のハイライト再生期間を選択して、Ｓ１００２に戻り動画の再生を続ける（Ｓ１００８）。
【００６６】
例えば、図２におけるシーン２０１がハイライト再生の対象として指定されていた場合には、ハイライト再生期間２０８の終端まで再生すると、ハイライト再生を停止する。また、図２において、２００９年１月１日が対象期間として指定されていた場合、ハイライト再生期間２１０の先頭からハイライト再生を開始して、ハイライト再生期間２１１の終端まで再生すると再生を停止する。また、ハイライト再生の対象期間として、２００８年１２月１日から２００９年１月１日までが指定された場合、ハイライト再生期間２０７の先頭からハイライト再生を開始して、ハイライト再生期間２１１の終端まで再生すると再生を停止する。
【００６７】
また、Ｓ１００３で、通常再生モードへの切り替え指示を受けた場合、制御部１０８は、ハイライト再生の対象期間として、１シーンのハイライト再生が指定されているか否かを判別する（Ｓ１００９）。１シーンのハイライト再生が指定されていた場合、ハイライト情報５０１に基づいて、現在の再生位置を含むハイライト再生期間の先頭フレームを指定する（Ｓ１０１０）。そして、制御部１０８は、ビデオカメラ１００を通常再生モードに切り替えて、指定したフレームから動画ファイルの通常再生を開始し（Ｓ１０１４）、図６のＳ６０２に移行する。
【００６８】
例えば、図２におけるシーン２０１がハイライト再生の対象として指定されており、ハイライト再生期間２０８の再生中に通常再生モードへの切り替え指示を受けた場合には、ハイライト再生期間２０８の先頭フレームを指定する。
【００６９】
また、１シーンのハイライト再生が指定されていない場合、一日のハイライト再生が指定されているか否かを判別する（Ｓ１０１１）。一日のハイライト再生が指定されていた場合、現在再生中のシーンの先頭フレームを指定する（Ｓ１０１２）。そして、制御部１０８は、ビデオカメラ１００を通常再生モードに切り替えて、指定したフレームから動画ファイルの通常再生を開始し（Ｓ１０１４）、図６のＳ６０２に移行する。
【００７０】
例えば、図２における２００８年１２月１日のハイライト再生が指定されており、ハイライト再生期間２０９の再生中に通常再生モードへの切り替え指示を受けた場合には、シーン２０１の先頭フレームを指定する。
【００７１】
また、一日のハイライト再生が指定されていない場合、複数の異なる撮影日のハイライト再生であると判断し、現在再生中のシーンと同じ撮影日のシーンのうち、先頭のシーンの先頭フレームを指定する（Ｓ１０１３）。そして、制御部１０８は、ビデオカメラ１００を通常再生モードに切り替えて、指定したフレームから動画ファイルの通常再生を開始し（Ｓ１０１４）、図６のＳ６０２に移行する。
【００７２】
例えば、図２における２００８年１２月１日から２００９年１月１日までのハイライト再生が指定されており、ハイライト再生期間２１１の再生中に通常再生モードへの切り替え指示を受けた場合には、シーン２０３の先頭フレームを指定する。
【００７３】
この様に、本実施形態では、ユーザは簡単にハイライト再生から通常再生に切り替えることができる。また、ハイライト再生モードに切り替えた際に、ハイライト再生の対象期間に基づいて、自動的に動画の再生開始位置を指定して、適切な位置から通常再生することができる。
【００７４】
例えば、ハイライト再生期間の先頭フレームや、再生中のシーンの先頭フレーム、或いは、再生中のシーンの撮影日と同じ撮影日の最初のシーンの先頭フレームなど、所定の複数の再生位置の何れかの再生位置から通常再生を開始する。
【図１】
2011250103.tif 000003
【図２】
2011250103.tif 000004
【図３】
2011250103.tif 000005
【図４】
2011250103.tif 000006
【図５】
2011250103.tif 000007
【図６】
2011250103.tif 000008
【図７】
2011250103.tif 000009
【図８】
2011250103.tif 000010
【図９】
2011250103.tif 000011
【図１０】
2011250103.tif 000012